(57)【要約】【課題】仕上げ内装イメージに表現できるミニモデルセットを用意することで仕上げ材等を容易、的確に決定する。【解決手段】各内角を直角とする四辺形状をなす底板１０１、底板１０１の一つの角を挟む二辺に沿ってそれぞれ起立されている四角形の側板１０２、１０２とを備える基体１００と、基体１００の底板１０１の上面１０１ａに連続する各側板１０２の面１０２ａに選択的に添装用いられる着脱可能な複数種の壁表面材１０と、選択的に壁表面材１０に添装用いられる着脱可能な複数種の建具用擬似枠１１と、建具用擬似枠１１内に納め入れられるように壁表面材１０に選択的に添装用いられる着脱可能な複数種の擬似建具材１２と、壁表面材１０の下部側に添わせるように選択的に用いられる複数種の擬似巾木材１３と、少なくとも擬似巾木材１３に側端面を押しあてるように底板１０１に選択的に敷設される複数種の床材１４とを備えているミニモデルセット。【選択図】図１
2010271485.tif 000002
【特許請求の範囲】
【請求項１】
建築物の一部の擬似空間を構成する内装仕上げ確認用のミニモデルセットであって、
各内角を直角とする四辺形状をなす底板と、この底板の一つの角を挟む二辺に沿ってそれぞれ起立されている四角形の側板とを備える基体と、
この基体の底板面に連続する各側板の面に選択的に添装用いられる着脱可能な複数種の壁表面材と、
選択的に当該壁表面材に添装用いられる着脱可能な複数種の建具用擬似枠と、
この建具用擬似枠内に納め入れられるように前記壁表面材に選択的に添装用いられる着脱可能な複数種の擬似建具材と、
前記壁表面材の下部側に添わせるように選択的に用いられる複数種の擬似巾木材と、
少なくとも該擬似巾木材に側端面を押しあてるように前記底板に選択的に敷設される複数種の床材とを備えていることを特徴とするミニモデルセット。
【請求項２】
細長い長方形状の底板と、この底板の一つの短辺に沿って起立されている細長い長方形状をなす側板と、前記底板の上面に連続される該側板の表面から突き出すように前記底板面に起立するように備えられている当該底板の板幅寸法よりも薄い板厚寸法の間仕切り板とを備えている間仕切り基体と、この側板から突き出されている間仕切り板の側端面に前記側板に向き合うように選択的に添装される着脱可能な複数種の擬似開口板と、この間仕切り開口板と前記側板と前記底板上面間とで囲まれた前記間仕切り基体の間仕切り板面に選択的に添装用いられる着脱可能な複数種の壁表面材と、当該壁表面材に選択的に添装用いられる着脱可能な複数種の擬似巾木材とを備えてなる補助ミニモデルセットと、
各内角を直角とする四辺形状をなす底板と、この底板の一つの辺に沿って起立されている四角形をなす側板とを備える延設基体と、この延設基体における側板の前記底板面に連続する面に選択的に添装される着脱可能な複数種の壁表面材と、当該壁表面材に添わせるように選択的に用いられる複数種の擬似巾木材とを備え、かつ、少なくとも該擬似巾木材に側端面を押しあてるように前記底板に選択的に敷設される複数種の床材とを備えてなる補助ミニモデルセットと、
各内角を直角とする四辺形状をなす底板と、この底板の一つの角を挟む二辺に沿ってそれぞれ起立されている四角形の側板とを備える組み付け基体と、この組み付け基体の底板面に連続する各側板の面に選択的に添装用いられる着脱可能な複数種の壁表面材と、前記壁表面材の下部側に添わせるように選択的に用いられる複数種の擬似巾木材と、少なくとも該擬似巾木材に側端面を押しあてるように前記底板に選択的に敷設される複数種の床材とを備えてなる補助ミニモデルセットの、
うちから選ばれる一種以上の補助ミニモデルセットと請求項１に記載のミニモデルセットとからなることを特徴とするミニモデルセット。
【発明の詳細な説明】
【技術分野】
【０００１】
建物の内装仕上げに際して、比較的困難を極めた内装素材の選択及び空間配色の打ち合わせを、施主、設計者、インテリアコーディネーター等が満足し得るように、的確に、かつ、短時間で、なし得るようにしたミニモデルセットを提供する。
【背景技術】
【０００２】
建物の内装仕上げ材を決定する際は、通例、設計者、インテリアコーディネーター等と施主とで、素材の打ち合わせと、空間配色の打ち合わせとを順次に行っており、まず、内装を構成する床、壁、ドア等の小さなカットサンプルを並べおきながら素材を決定し、これらの決定を前提にしてソフト的なイメージ画像や、
パースなどのハードコピーを作成することで、空間配色を決定するようにしていた。
【０００３】
しかしながら、呈示されるサンプルは、通例、小型であり、このサンプルから建築物における具体的な内装の空間配色を想定することは、いたって難しいものであった。
【０００４】
また、かかる手法にあっては、用いられる素材が本来有している素材特有の雰囲気を表すことができなかった。
【０００５】
また、近時における内装仕上げの流れに同色使いという概念が薄れる傾向にあり、より高度な熟練を要する異色使いによる内装の空間仕上げが要請される傾向にある。
【０００６】
かかる内装材のインテリアコーディネートのために、種々の工夫が試みられ、例えば、当該建物の内装用のインテリアコーディネートのための見本表示具や見本帳が提案されている（例えば、特許文献１）。
【０００７】
しかしながら、建築物における内装空間は、見本帳などに比較して極端に大きな空間をなしていることから、サンプルや見本帳から作り出された空間配色と異なるケースが多く、内装完工後に、所期イメージと、仕上がり内装空間との差異に戸惑うケースがあった。
【先行技術文献】
【特許文献】
【０００８】
【特許文献１】特開平８−１４６８８２号公報
【発明の概要】
【発明が解決しようとする課題】
【０００９】
しかしながら、建物の内装要部を容易に俯瞰できる状態で、しかも、実際に用いられる内装仕上げ材を、極力用いて当該建物における内装仕上げ状態をつくりだしたり、用いられる内装材等を随時、所望の材に交換しながら仕上がり内装を決定し、さらに、建具や巾木等との調和を考慮しながら、これらの各部品を交換しつつ、内装における構成的な調和と、色彩的な調和を考慮しながら内装仕上げを決定する内装仕上げ用のミニモデルは存在していなかった。
【００１０】
かかる点から、建物における内装部分の要部を容易に俯瞰できると共に、典型的には、内装施工に用いられる素材を随時交換しながら添装状態にセットして確認し、また、各種の色彩の建具材や巾木等を具体的に随時交換しながらセットすることで、当該建物における内装を確認、決定することが求められている。
【課題を解決するための手段】
【００１１】
かかる課題を解決するために、この発明にあっては、建築物の一部の擬似空間を構成する内装仕上げ確認用のミニモデルセットであって、
各内角を直角とする四辺形状をなす底板と、この底板の一つの角を挟む二辺に沿ってそれぞれ起立されている四角形の側板とを備える基体と、
この基体の底板面に連続する各側板の面に選択的に添装用いられる着脱可能な複数種の壁表面材と、
選択的に当該壁表面材に添装用いられる着脱可能な複数種の建具用擬似枠と、
この建具用擬似枠内に納め入れられるように前記壁表面材に選択的に添装用いられる着脱可能な複数種の擬似建具材と、
前記壁表面材の下部側に添わせるように選択的に用いられる複数種の擬似巾木材と、
少なくとも該擬似巾木材に側端面を押しあてるように前記底板に選択的に敷設される複数種の床材とを備えていることを特徴とするミニモデルセットとしてある。
【００１２】
かかる内装仕上げ確認用のミニモデルセットを用いて、施主、設計者、コーディネーター等が、実際の内装施工に用いられる壁材、床材等で、当該建築物の空間配色を確認しながら具体的に各内装を決定すると共に、各建具との取り合い等を逐一、確認しながら決定することで、想定された所期のイメージに一致した仕上がり内装とすることができる。
【００１３】
特に、内装仕上げの確認を、建築物の一部の擬似空間に、実際に用いる内装材を添装して確認することで、仕上がりの空間配色が把握し易く、また、擬似建具や擬似巾木で、仕上げに用いられる床材や壁表面材等との具体的な色彩感等を確認できることから、内装仕上げの決定時における仕上げイメージに一致した仕上がり内装空間を構成することができる。
【００１４】
また、前記課題を解決するために、細長い長方形状の底板と、この底板の一つの短辺に沿って起立されている細長い長方形状をなす側板と、前記底板の上面に連続される該側板の表面から突き出すように前記底板面に起立するように備えられている当該底板の板幅寸法よりも薄い板厚寸法の間仕切り板とを備えている間仕切り基体と、この側板から突き出されている間仕切り板の側端面に前記側板に向き合うように選択的に添装される着脱可能な複数種の擬似開口板と、この間仕切り開口板と前記側板と前記底板上面間とで囲まれた前記間仕切り基体の間仕切り板面に選択的に添装用いられる着脱可能な複数種の壁表面材と、当該壁表面材に選択的に添装用いられる着脱可能な複数種の擬似巾木材とを備えてなる補助ミニモデルセットと、
各内角を直角とする四辺形状をなす底板と、この底板の一つの辺に沿って起立されている四角形をなす側板とを備える延設基体と、この延設基体における側板の前記底板面に連続する面に選択的に添装される着脱可能な複数種の壁表面材と、当該壁表面材に添わせるように選択的に用いられる複数種の擬似巾木材とを備え、かつ、少なくとも該擬似巾木材に側端面を押しあてるように前記底板に選択的に敷設される複数種の床材とを備えてなる補助ミニモデルセットと、
各内角を直角とする四辺形状をなす底板と、この底板の一つの角を挟む二辺に沿ってそれぞれ起立されている四角形の側板とを備える組み付け基体と、この組み付け基体の底板面に連続する各側板の面に選択的に添装用いられる着脱可能な複数種の壁表面材と、前記壁表面材の下部側に添わせるように選択的に用いられる複数種の擬似巾木材と、少なくとも該擬似巾木材に側端面を押しあてるように前記底板に選択的に敷設される複数種の床材とを備えてなる補助ミニモデルセットの、
うちから選ばれる一種以上の補助ミニモデルセットと、前記ミニモデルセットとで、更に個別のミニモデルセットを構成することによって、各種のニーズに対応した内装仕上げ確認用のミニモデルセットを用意することができ、各種のニーズに対応した内装仕上げの確認に用いることができる。
【発明の効果】
【００１５】
この発明は、内装に用いられる素材からなる壁表面材や、床材等を容易に着脱可能に添装し得ると共に、当該壁表面材に添装して用いられる建具用擬似枠や当該建具用擬似枠内に納め入れ得るように前記壁表面材に添装して用いられる擬似建具材や、擬似巾木材を用意し、これらを、建築物の一部の擬似空間を構成する基体に、適宜、取り替えながら添装、確認して、仕上げ内装材を決定することによって、イメージされた内装仕上げ状態の内装をなし得るものであって、例えば、建物の内装仕上げ材を決定する際に、各決定内装材によって立体模型を逐一作成する等の、作成手間と作成費用の嵩張りを解消でき、また、コンピューターグラフィックス等の煩雑な処理を必要とすることもなく、コンピューターグラフィックス等における表示画像と仕上がり内装の不一致等の不具合を生ずることもなく、イメージされた仕上がりの内装状態となるように各内装材を確実に決定することができる。
【図面の簡単な説明】
【００１６】
【図１】図１は、典型的なミニモデルセットＡを構成する典型的な各構成部材を分離した状態を斜め上方から示したものであって、当該ミニモデルセットＡの基本的な構成要素を備えて構成されているミニモデルセットＡ’の各構成要素を分離して斜め上方から見て示している。
【図２】図２は、この典型的なミニモデルセットＡであって、特に、基本的な各構成要素を備えて構成されているミニモデルセットＡ’の組み付けの一例を、斜め上方から見て示している。
【図３】図３は、かかる典型的なミニモデルセットＡを構成する基本的な各構成要素を備えて構成されるミニモデルセットＡ’の各構成要素を組み付けて前方から見て示している。
【図４】図４は、かかる典型的なミニモデルセットＡを構成する基本的な各構成要素を備えて構成されているミニモデルセットＡ’の各構成要素を組み付けて、上方から見て示している。
【図５】図５は、図４において構成される典型的なミニモデルセットＡをＦ−Ｆで、縦向きに断面して側方から見て示している。
【図６】図６は、かかる典型的な図４において構成される典型的なミニモデルセットＡをＫ−Ｋで、縦向きに断面して側方から見て示している。
【図７】図７は、前記の典型的な基本的な各構成要素を備えて構成されているミニモデルセットＡ’に、各種の典型的な補助ミニモデルセットＡａ、補助ミニモデルセットＡｂ、補助ミニモデルセットＡｃ等を組み付けて構成されるミニモデルセットＡを上方から見て示したものである。
【図８】図８は、かかる典型的なミニモデルセットＡを正面側から見て示したものである。
【図９】図９は、典型的な補助ミニモデルセットＡａを構成する各部材を分離して斜め上方から見て示している。
【図１０】図１０は、典型的な補助ミニモデルセットＡｂを構成する各部材を分離して斜め上方から見て示している。
【図１１】図１１は、典型的な補助ミニモデルセットＡｃを構成する各部材を分離して斜め上方から見て示している。
【図１２】図１２は、基本的な各構成要素を備えて構成されるミニモデルセットＡ’に各種の補助ミニモデルセットＡａ、Ａｂ、Ａｃ、階段セット１４０等を上方から見て、横方向に並設して示している。
【図１３】図１３は、前記ミニモデルセットＡに適宜組み付けて用いられる階段セットであって、各部品を分離して斜め上方から見て示している。
【図１４】図１４は、かかる階段セット１４０を備えた典型的なミニモデルセットＡを上方から見て示している。
【図１５】図１５は、かかる階段セット１４０を備える典型的なミニモデルセットＡを正面側から見て示している。
【図１６】図１６は、かかる階段セット１４０を備える典型的な補助ミニモデルセットＡｃを側方から見て示している。
【図１７】図１７は、基本的な各構成要素を備えて構成されているミニモデルセットＡ’で下階を構成し、当該ミニモデルセットＡ’上に、前記補助ミニモデルセットＡｂ及び補助ミニモデルセットＡｃとを組み付けて、上階を備えるミニモデルセットＡを構成し、これを正面側から見て示している。
【図１８】図１８は、図１７に示されるミニモデルセットＡを上方から見て示している。
【発明を実施するための形態】
【００１７】
この発明に係る典型的なミニモデルセットＡは、建築物の一部の擬似空間を構成する内装仕上げ確認用のミニモデルセットであって、
各内角を直角とする四辺形状をなす底板１０１、この底板１０１の一つの角を挟む二辺に沿ってそれぞれ起立されている四角形の側板１０２、１０２とを備える基体１００と、
この基体１００の底板１０１の上面１０１ａに連続する各側板１０２の面１０２ａに選択的に添装用いられる着脱可能な複数種の壁表面材１０と、
選択的に当該壁表面材１０に添装用いられる着脱可能な複数種の建具用擬似枠１１と、
この建具用擬似枠１１内に納め入れられるように前記壁表面材１０に選択的に添装用いられる着脱可能な複数種の擬似建具材１２と、
前記壁表面材１０の下部側に添わせるように選択的に用いられる複数種の擬似巾木材１３と、
少なくとも該擬似巾木材１３に側端面を押しあてるように前記底板１０１に選択的に敷設される複数種の床材１４とを備えていることを特徴とするミニモデルセットＡとして構成してある。
【００１８】
なお、この図示例に係る基体１００は、床板１０１と、この床板１０１の一つの角を挟む二辺に平面視でく字状をなすように一対の側板１０２、１０２を連続して立設して構成してあるが、前記底板１０１の二辺に起立されている側板１０２の一方から、更に当該底板１０１の他の一辺の途中まで前記側板１０２、１０２に連続する側板１０２を設けるようにしてあってもよい。また、建築物の内装仕上げを確認し得る擬似空間が構成されているものであれば、必ずしも、底板１０１の二辺に沿った全幅に渡るように側板１０２を設ける必要はない。
【００１９】
また、この基体１００は、この基体１００における底板１０１、側板１０２等が、この基体１００の底板１０１の上面１０１ａに連続する各側板１０２の面１０２ａに選択的に添装用いられる着脱可能な複数種の壁表面材１０と、選択的に当該壁表面材１０に添装用いられる着脱可能な複数種の建具用擬似枠１１と、この建具用擬似枠１１内に納め入れられるように前記壁表面材１０に選択的に添装用いられる着脱可能な複数種の擬似建具材１２と、前記壁表面材１０の下部側に選択的に添装用いられる複数種の擬似巾木材１３と、少なくとも該擬似巾木材１３に側端面を押しあてるように前記底板１０１に選択的に敷設される複数種の床材１４とを備えて構成し得るようにしてあれば、いかなる態様に構成してあっても、また、いかなる素材によって構成してあってもよい。
【００２０】
また、前記壁表面材１０は、内装施工に際して実際に用いられる素材であれば、いかなる素材によって構成してあっても、また、側板１０２の表側の面１０２ａに着脱可能に仮留め状態に添装し得る構成を備えたものであれば、各種の仮留め手段１７等の、いかなる着脱手段を備えて構成してあってもよく、取り換え可能な複数種の壁表面材１０として用意される。かかる壁表面材１０の面１０２ａに対する着脱可能な装着は、例えば、壁表面材１０を両面粘着シート１７ａ等で側板１０２に着脱可能に添装状態に着装させ得るようにしてあっても、当該壁表面材１０と側板１０２とに永久磁石と当該永久磁石に吸着される鉄板等の磁性材を備え付けて構成してあっても、更に、例えば、護謨磁石やプラスチック磁石等のボンド磁石を側板１０２や、壁表面材１０に貼り付け用いて構成してあっても、当該側板１０２と壁表面材１０の接する面に雌雄をなす面状ファスナーを備え付けて構成してあってもよく、当該壁表面材１０を側板１０２に対して着脱可能に当該仮留め手段１７を用いて添装状態に着装させることができる。
【００２１】
また、前記壁表面材１０に対して、添装状態に仮留め手段１７等で着脱可能に着装して用いられる建具用擬似枠１１は、取り換え可能な複数種の建具用擬似枠１１として用意される。かかる建具用擬似枠１１は、内装施工に際して実際に用いられる素材、又は、同種の色調の素材によって構成されており、構成される壁表面材１０の面１０ａや床材１４の構成する床面や擬似建具材１２の面１２ａ等との取り合わせの確認がし易い素材で構成してあれば、いかなる素材で構成してあってもよい。この図示例にあっては下方から面状をなす擬似建具材１２を都合良く嵌め入れ得るように下方を解放した門状をなす構成としてある。また、当該擬似建具枠１１を着脱可能に壁表面材１０に着装する仮留め手段１７は、例えば、当該擬似建具材１２を両面粘着シート等で壁表面材１０に着脱可能に添装状態に着装させ得るようにしてあっても、当該壁表面材１０と擬似建具材１２とに永久磁石と当該永久磁石に吸着される鉄板等の磁性材を備え付けて構成してあっても、更に、例えば、護謨磁石やプラスチック磁石等のボンド磁石を擬似建具材１２や、壁表面材１０に貼り付け用いるようにしてあっても、当該擬似建具材１２と壁表面材１０の互いに接する面に雌雄をなす面状ファスナーを備え付けて構成するなど、当該壁表面材１０に対して擬似建具枠１１を着脱可能に添装状態に着装させ得るものであれば、いかなるものであってもよい。
【００２２】
また、この擬似建具枠１１内に納め入れられるように用意される擬似建具材１２は、典型的には取り換え可能な複数種の擬似建具材１０として用意される。かかる擬似建具材１２は、前記底板１０１に起立状態に備えられる擬似建具枠１１の枠内を覆う形状としてあり、壁表面材１０に対して、添装状態に仮留め手段１７で着脱可能に着装して用いられものであって、例えば、内装仕上げに際して用いられる実際の素材で構成し、壁、床、建具の組み付け枠等との取りあいを都合よく観察し得るように壁表面材１０の表側の面１０ａに取り換え可能に仮留め手段１７で添装着装し得るように構成してある。かかる仮留め手段１７は、例えば、当該擬似建具材１２を両面粘着シート等で壁表面材１０に着脱可能に添装状態に着装させ得るようにしてあっても、当該壁表面材１０と擬似建具材１２とに永久磁石と当該永久磁石に吸着される鉄板等の磁性材を備え付けて構成してあっても、更に、例えば、護謨磁石やプラスチック磁石等のボンド磁石を擬似建具材１２や、壁表面材１０に貼り付け用いるようにしてあっても、当該擬似建具材１２と壁表面材１０の互いに接する面に雌雄をなす面状ファスナーを備え付けて構成するなど、当該壁表面材１０に対して擬似建具材１２を着脱可能に添装状態に着装させ得るものであれば、いかなるものであってもよい。
【００２３】
また、ここで用いられる擬似巾木材１３は、前記壁表面材１０に添って基体１００の底板１０１に起立させて、床材１４を敷設した際に、当該床材１４の上面から、ミニモデルセットＡに相応しい巾木を構成し得るように所定寸法突きだして側板１０２に備えられる壁表面材１０の下部側を当該床材１４に沿って覆うものであれば、内装仕上げに実際に用いるものであっても、また、色あわせに用いられる同種の素材からなるものであってもよく、前記壁表面材１０に添わせるように前記の各種の仮留め手段１７で添装状態に着装しうるものであっても、床材１４によって壁表面材１０に押しつけられて当該壁表面材１０に添わせるように起立状態に設けられていてもよい。
【００２４】
また、ここで用いられる床材１４は、実際の内装仕上げに用いられる床材であれば、いかなる形態に構成してあってもよく、この図示例では、比較的厚めのベース部１４ｂに、実際の内装仕上げに用いる床本体部１４ａを貼り込んだ床材１４を用いている。このように、床本体部１４ａに所定厚さを備えるベース部１４ｂを備えさせることによって、上階と下階を備えるミニモデルセットＡを構成した際に、下階と上階との間にもたらされる天井裏空間を具体的に把握することができる。特に、この図示例にあっては、実際に建設される建物の所定縮尺寸法のミニモデルとして当該ミニモデルセットＡを構成してあり、各階の天井高さなどを具体的に当該ミニモデルセットＡによって想定することができる。
【００２５】
なお、ここで、床本体部１４ａは、内装に用いられる素材で構成される。例えば、各種のフローリング材、カーペット等、各種の敷き込み床材が用いられる。
【００２６】
また、この図示例にあっては、壁表面材１０で覆われた一方の側板１０２に窓を設けることが予定されており、当該窓又は窓部覆い部材１６を壁表面材１０に対して両面粘着テープ１７ａ等の適宜の仮留め手段１７で着脱可能に添装状態に装着し得るようにしてある。かかる窓又は窓覆い部材１６は、窓材や当該窓覆い部材等と壁表面材１０等との意匠等の確認に重要であり、実際に用いられるカーテン生地等で構成されることが好ましく、前記仮留め手段１７等で、取り換え用いられる複数種のものとして用意される。
【００２７】
このように用意されたミニモデルセットＡを前提に、当該ミニモデルセットＡを構成する複数種の壁表面材１０、複数種の建具用擬似枠１１、複数種の擬似建具材１２、複数種の擬似巾木材１３、複数種の床材１４等の各セットを、内装の仕上げりを想定しながら交換することで、施主と各内装材を順次に確定する。例えば、主たる壁表面材１０と床材１４との調和、各居住空間の出入り位置や建具と壁表面材１０や床材１４との調和、巾木や回り縁、窓の開口位置やカーテン等の窓覆い部材との調和等を勘案しながら、当該ミニモデルセットＡに含まれているセット部材を置き換え確認して、各素材を、容易に、しかも、確実に特定することができる。
【００２８】
かかる典型的なミニモデルセットＡのみで、建物の建築内装を特定することも可能であるが、さらに、より各種構成の建築物における仔細な内装仕上げの確認を可能として、内装材を逐一決定することで、内装施工後の仕上がりイメージを事前に特定し、より施主の期待する仕上がり空間を構成するために、前記ミニモデルセットＡを基本ミニモデルセットＡ’とし、これに、以下の構成からなる補助ミニモデルセットＡａ、補助ミニモデルセットＡｂ、補助ミニモデルセットＡｃの一種以上の補助ミニモデルセットを組み合わせてミニモデルセットＡを構成し、構成されるミニモデルセットＡに対して、各壁表面材１０、床材１４、建具用擬似枠１１、擬似建具材１２、擬似巾木材１３、窓又は窓部覆い部材１６等を前記手法で組み付けて、建築物における各内装の仕上がりを想定しながら仕上げ内装材を特定するようにしてあってもよい。また、さらに、かかる構成からなるミニモデルセットＡに対して階段セット１４０等の適宜のミニモデルセットを組み合わせてミニモデルセットＡを構成し、構成されるミニモデルセットＡに対して各壁表面材１０、床材１４、建具用擬似枠１１、擬似建具材１２、擬似巾木材１３、窓又は窓部覆い部材１６等を前記手法で組み付けて、建築物における各内装の仕上がりを想定しながら仕上げ内装材を特定するようにしてあってもよい。
【００２９】
次いで、図示例に基づき、より具体的にミニモデルセットＡを、説明する。まず、図１〜図６に示されるミニモデルセットＡを説明する。
【００３０】
このミニモデルセットＡは、基体１００を所定の縮尺寸法のものとして構成用意する。ここで用意される基体１００は、各内角を直角とする四辺形状をなす底板１０１と、この底板１０１の一つの角を挟む二辺に沿って起立するように備えられた四角形の側板１０２、１０２とで構成してあり、底板１０１の奥側に位置して当該ミニモデルセットＡを観る際に側板１０２”が正面に位置されるように当該底板１０１の奥側の辺と、これに連続されている辺（図４では左側の辺）に沿って側板１０２’を、当該側板１０２’、１０２”が一連に連続して一体をなすように構成してある。
【００３１】
この図示例では、仮想線で示すように、概ね、四畳半相当の居住空間を所定の縮尺状態で構成したものであって、この図示例では、正面側に位置する側板１０２”に扉等の建具を、建具用擬似枠１１と擬似建具材１２とで設け、図１において、左側に位置している側板１０２’に窓又は窓部覆い部材１６をなすカーテン１６’を設けた態様を示している。
【００３２】
まず、この図示例にあっては、表面１０ａを化粧面とすると共に、両面粘着テープ１７ａを仮留め手段１７として裏面１０ｂに設けた壁表面材１０を用意し、この壁表面材１０を前記側板１０２に対して着脱可能に添装状態に装着させる。かかる壁表面材１０は、実際の内装に用いられる化粧クロス、化粧ボード等の壁材を、前記各側板１０２の表面１０２ａを覆う形状に構成したものであって、各種色彩の各種壁材からなる複数の壁表面材１０として用意され、当該側板１０２に対して、取り換え装着しながら、内装仕上げ材の決定をするものであって、その表面１０ａで、内装の仕上がりを直接確認することができる。
【００３３】
このように、正面に位置している側板１０２”を覆った壁表面材１０の表面１０ａ所定箇所に対して、表面１１ａを化粧面とされ、しかも、下方が解放されている門状をなす建具用擬似枠１１を立設状態にして着脱可能に添装状態に装着する。この建具用擬似枠１１は、いわゆる建具を納める開口枠であって、建具と壁や床等との意匠性の確認や開口位置の確認等に必要であって、前記壁表面材１０と同様に両面粘着テープ１７ａ等の仮留め手段１７を裏面１１ｂに設けて当該壁表面材１０の表面１０ａに着脱可能に装着し、表面１１ａの色調等を参考にして、内装仕上げ面の構成や仕上げ材の決定を行う。
【００３４】
また、この建具用擬似枠１１の枠内を塞ぐように表面１２ａを化粧面とする擬似建具材１２を、この擬似建具材１２の裏面１２ｂに設けた両面粘着テープ１７ａ等の仮留め手段１７で、壁表面材１０の表面１０ａに着脱可能に装着し、建具の仕上げ素材や色調等を決定する。この擬似建具材１２は、実際に用いられる素材で構成してあってもよく、この図示例では、前記建具用擬似枠１１内を覆うように、前記底板１０１に立設状態に設けられている面状をなす板材として用意されている。
【００３５】
また、表面１３ａを化粧面とする擬似巾木材１３を、底板１０１上に立設状態に設け、当該底板１０１に敷き込まれる床材１４から、いわゆる巾木相当の幅分が上方に突き出すように、前記建具用擬似枠１１を除いた壁表面材１０に添わせるように設ける。かかる擬似巾木材１３は、その裏面１３ｂを壁表面材１０に接触させた状態で底板１０１に敷き込まれる床材１４で当該壁表面材１０に押しつけ、起立状態に維持するようにしてあっても、また、前記両面粘着テープ１７ａ等の仮留め手段１７等で、当該壁表面材１０の下部側に添うように設けてあってもよい。
【００３６】
また、この図示例にあっては、左側に位置している外壁をなす側板１０２’にカーテン１６’を両面粘着テープ１７ａ等の仮留め手段１７で、着脱可能に設けてあり、仕上がり内装の状態を確実に確認し得るようにしてある。
【００３７】
かかる基体１００の床面を確実に確認するために、少なくとも上面側を、フローリング、絨毯等の実際の仕上げ床材で構成した床材１４を用意し、この床材１４で前記底板１０１の上面１０１ａを覆うようにしてある。なお、この図示例に係る床材１４では、当該ミニモデルセットＡを上階と下階を備えるように構成した際に、前記縮尺と同一縮尺で下階と上階とが連結され、天井懐の確認や、下階、上階における各天井高さ等を確認し得るように、このミニモデルセットＡを構成する底板１０１の下面１０１ｂから当該底板１０１に敷き込まれる床材１４の上面との間の寸法が、前記縮尺と同一の縮尺寸法となるように、床材１４を内装仕上げに用いられる床本体部１５ａとベース部１５ｂとで構成してある。
【００３８】
また、この底板１０１の上面１０１ａに敷き込んで床部を構成する床材１４は、前記底板１０１の上面１０１ａに適宜の仮留め手段１７によって着脱可能に装着してあっても、当該床材１４の自重で敷き込むようにしてあってもよい。また、この床材１４の床本体部１４ａをベース部１４ｂに対して適宜の前記仮留め手段１７等を用いて着脱可能に装着するようにしてあっても、当該ベース部１４ｂ上に自重で敷き込むようにしてあっても、さらには、当該ベース部１４ｂに一体に設けてあってもよい。
【００３９】
なお、この図示例では、側板１０２’の備えられている辺の反対側にあって当該辺に平行な底板１０１の辺にある側端面１０１ｃと、側板１０２”の前記側板１０２’に連接されていない側の側端面１０２ｄ（図４における右側に構成される側端面１０１ｃ、１０２ｄ）部分に横方向への接続手段１８’が設けてあり、側板１０２’及び側板１０２”の上端面１０２ｂ部分と下端面１０２ｃ部分とに上下方向への接続手段１８”が、接続手段１８として設けてある。
【００４０】
かかる構成からなるミニモデルセットＡを用いて、各種の内装の仕上がり具合を想定しながら各内装材を決定するようにしてあってもよいが、このミニモデルセットＡを基本ミニモデルセットＡ’として、この基本ミニモデルセットＡ’に各種の補助ミニモデルセットや階段セット等を組み付けて各種形態のミニモデルセットＡを構成し、この組み付け構成されるミニモデルセットＡを用いて内装仕上がりを想定しながら各内装材を決定するようにしてあってもよい。
【００４１】
かかる基本ミニモデルセットＡ’と各種の補助ミニモデルセットの接続手段１８は、基本ミニモデルセットＡ’を基本にして各種の、例えば、適宜選択される補助ミニモデルセットＡａ、補助ミニモデルセットＡｂ、補助ミニモデルセットＡｃ等を横方向や上下方向に接続する手段や、適宜選択される補助ミニモデルセットＡａ、補助ミニモデルセットＡｂ、補助ミニモデルセットＡｃ相互の接続手段として用いられるものであって、例えば、雌雄をなす面状ファスナー、永久磁石と当該永久磁石に吸着される鉄板等の磁性材、両面粘着テープ、各種のだぼ等、いかなる接続手段であってもよく、この図示例では、典型的な永久磁石１８ａと細長い鉄板等の磁性板１８ｂを示している。
【００４２】
かかる典型的な基本ミニモデルセットＡ’に対して選択的に組み付けられてミニモデルセットＡを構成する補助ミニモデルセットは、例えば、間仕切り基体１１０を備える補助ミニモデルセットＡａ、延設基体１２０を備える補助ミニモデルセットＡｂ、組み付け基体１３０を備える補助ミニモデルセットＡｃ等があり、さらに、これらに併せて、又は、別段に用意される階段セット１４０等がある。
【００４３】
かかる典型的な基本ミニモデルセットＡ’に組み付け用いられる補助ミニモデルセットは、例えば、各内角を直角とする細長い四辺形、すなわち、細長い長方形状の底板１１１と、この底板１１１の一つの短辺に沿って起立されている細長い長方形状をなす側板１１２と、前記底板１１１の上面１１１ａに連続される該側板１１２の表面１１２ａから突き出すように前記底板面１１１ａに起立するように備えられている当該底板１１１の板幅寸法よりも薄い板厚寸法の間仕切り板１１３とを備えている間仕切り基体１１０と、この側板１１２から突き出されている間仕切り板１１３の側端面１１３ａに前記側板１１２に向き合うように複数種用意されて、選択的に添装用いられる着脱可能な複数種の擬似開口板１９と、この間仕切り開口板１９と前記側板１１２と前記底板１１１の上面１１１ａ間とで囲まれた前記間仕切り基体１１０の間仕切り板１１３面に、複数種用意されて選択的に添装用いられる着脱可能な壁表面材１０と、当該壁表面材１０に、複数種用意されて選択的に添装用いられる着脱可能な擬似巾木材１３とを備えた補助ミニセットＡａがある。
【００４４】
この補助ミニモデルセットＡａは、前述の壁表面材１０を、当該側板１１２、擬似開口板１９及び底板１１１の上面１１１ａで囲まれた当該間仕切り板１１３の両面のそれぞれに対して、両面粘着テープ１７ａ等の仮留め手段１７で着脱可能に添装状態に装着し得るようにしてあり、しかも、この着脱可能に添装状態に装着される壁表面材１０の下部に沿って、当該側板１１２、擬似開口板１９及び底板１１１の上面１１１ａで囲まれた壁表面材１０に対して、両面粘着テープ１７ａ等の仮留め手段１７で擬似巾木材１３を着脱可能に添装状態に装着し得るようにしてあって、この添装される擬似巾木材１３の面１３ａが、当該側板１１２、擬似開口板１９及び底板１１１の上面１１１ａで囲まれた凹部内に納まるように構成してある。
【００４５】
なお、前記間仕切り基体１１０は、底板１１１と側板１１２及び間仕切り板１１３を一体のものとして構成してあっても、また、これらを組み付け、組み外し可能に設けてあってもよい。また、前記底板１１１と側板１１２とを一体に構成し、これに対して、間仕切り板１１３とを組み付け、組み外し可能に構成してあってもよい。
【００４６】
かかる補助ミニモデルセットＡａは、より具体的には、前記基本ミニモデルセットＡ’の縮尺比率と同一の縮尺比率で構成したものであって、底板１１１の短手側の寸法及び当該底板１１１の一方の短辺から起立されている側板１１２の横巾を、いわゆる間仕切り壁の実寸法を前記縮尺比率で縮尺した構成とし、各居住空間の間仕切部分における内装の仕上がりを確認するために用いるものであって、前記側板１０２”の側端面１０２ｄに密着して連続される側端面１１２ｄと、更に必要に応じて他の補助ミニモデルセットに密着して連続される側端面１１２ｄを該側板１１２の両側に縦向きに備えており、この各側端面１１２ｄに横方向への接続手段１８’を、前記基本ミニモデルセットＡ’や、必要に応じて更に他の補助ミニモデルセットの側端面に備えられる接続手段１８’に接続可能に設けてある。また、底板１１１の長手に沿った両側端面１１１ｃにも、横方向への接続手段１８’を、前記基本ミニモデルセットＡ’や、更に、必要に応じて他の補助ミニモデルセットの側端面に備えられる接続手段１８’に接続可能に設けてある。
【００４７】
また、側板１１２と、これに連続して備えられている間仕切り板１１３の上端面が面一となるように構成してあり、この間仕切り板１１３の側端面１１３ａに前記側板１１２とほぼ同幅の、縦向きに長方形状をなす擬似開口板１９を、その上端が該間仕切り板１１３の上端面に揃うように前記側板１１２に平行にして、両面粘着シート１７ａ等の仮留め手段１７で着脱可能に備え付けてある。
【００４８】
そして、この側板１１２における表面１１２ａと、擬似開口板１９と、底板１１１の上面１１１ａで間仕切り板１１３の面に凹部を構成し当該凹部内に前記壁表面材１０と擬似巾木材１３とが納まるようにしてあって、いわゆる間仕切り壁の形態を整えるように構成してある。
【００４９】
かかる構成からなる間仕切り基体１１０は、これを前記基本ミニモデルセットＡ’に接続した際に、底板１１１の下面１１１ｂが基本ミニモデルセットＡ’の底板１０１の下面１０１ｂに一連に連続され、かつ、上端面１１２ｂが基本ミニモデルセットＡ’の側板１０２”の上端面１０２ｂに面一の状態になるように構成してある。なお、この側板１１２の上端面１１２ｂと下端面１１２ｃとには、必要に応じて上下方向への接続手段を設けておく。
【００５０】
また、前記基本ミニモデルセットＡ’や、更に必要に応じて他の補助ミニモデルセットとの接続使用を考慮して、間仕切り板１１３及び擬似開口板１９を備えていない底板１１１部分に、前記基本ミニモデルセットＡ’における床材１４と同一厚さを備え、かつ、底板１１１と同一の巾寸法の仕切床材１５を着脱可能に備え付け得るようにしてある。この仕切床材１５は、例えば、敷居等の内装化粧の仕上がりを検討する手段として用いられるものであって、端面を前記擬似開口板１９に押し当てるように仮留め手段１７等の適宜の手段で底板１１１に装着される。また、前記床材１４と同様に、当該間仕切り床材１５に所要の厚さをもたらすために、ベース材１５ｂを用意し、このベース材１５ｂに間仕切り床本体部１５ａを仮留め手段１７等で適宜、着脱可能に装着し、内装材の仕上げ確認作業に際して当該間仕切り床本体部１５ａを取り替えて、施主との内装材の確認作業をなすことができるようにしてあってもよく、また、当該ベース仕切り床材１５ｂ上に仕切り床本体部１５ａを取り換え可能に載せ置くようにしてあっても、更に、当該床１５を一本の角材として構成してあってもよい。なお、この図示例では、仕切床本体部１５ａとベース仕切り床材１５ｂを一体に構成して、底板１１１に対して両面粘着テープ１７ａ等の仮留め手段１７で、取り替え可能に着装し得るように構成してある。
【００５１】
このように構成される補助ミニモデルセットＡａは、前記仕切床材１５と擬似開口板１９とを適宜、取り替えながら間仕切り部分における開口枠等の仕上がり内装具合を確認したり、当該開口部分に組み込まれる建具等との内装仕上がり状態を確認しながら、当該各素材を決定することができる。
【００５２】
また、前記基本ミニモデルセットＡ’や、必要に応じて更に他の補助ミニモデルセットと共に用いられる補助ミニモデルセットとして構成される補助ミニモデルセットＡｂは、各内角を直角とする四辺形状をなす底板１２１と、この底板１２１の一つの辺に沿って起立されている四角形をなす側板１２２とを備えた延設基体１２０と、この延設基体１２０における側板１２２の前記底板１２１の面１２１ａに連続する面１２２ａに選択的に添装される複数種の着脱可能な壁表面材１０と、当該壁表面材１０に添わせるように選択的に用いられる複数種の擬似巾木材１３とを備え、かつ、少なくとも該擬似巾木材１３に側端面を押しあてるように前記底板１３１に選択的に敷設される複数種の床材１４とを備えた構成としてある。
【００５３】
かかる補助ミニモデルセットＡｂは、より具体的には、前記基本ミニモデルセットＡ’の縮尺比率と同一の縮尺比率で構成したものであって、追って説明する補助ミニモデルセットＡｃと共に所定の居室空間を構成し得る手段や、前記基本ミニモデルセットＡ’に連続される居室の仕上がり状態を確認する手段等として用いられる。この補助ミニモデルセットＡｂの延設基体１２０を構成する底板１２１の両側の長手向きにある側端面１２１ｃと、側板１２２の両側の縦向きの側端面１２２ｄを前記基本ミニモデルセットＡ’の各側端面１０１ｃ、１０２ｄや、更に、必要に応じて組み付け用いられる補助ミニモデルセットの各底板の各側端面や、各側板の各側端面に接した状態で接続し得る横方向への接続手段１８’を当該基本ミニモデルセットＡ’や接続される補助ミニモデルセットの接続手段１８’に対応する位置に備えており、底板１２１の下面１２１ｂを前記基本ミニモデルセットＡ’の底板１０１の下面１０１ｂと面一になるようにしてある。また、この延設基体１２０を構成する側板１２２の上端面１２２ｂと下端面１２２ｃとに、前記基本ミニモデルセットＡ’におけると同様に上下方向への接続手段１８”を設けてある。
【００５４】
かかる延設基体１２０の側板１２２の表面１２２ａに、前記基本ミニモデルセットＡ’におけると同様に表面１０ａを実際の化粧クロス、化粧ボード等の壁材としてあり、かつ、裏面１０ｂに両面粘着テープ１７ａ等の仮留め手段１７を設けた壁表面材１０を着脱可能に添装状態に装着してあり、さらに、当該壁表面材１０の表面１０ａの下部側に表面１３ａを化粧面とした擬似巾木材１３の裏面１３ｂを添わせるようにして、起立状態に維持する。かかる擬似巾木材１３の起立での維持は、当該底板１２１に起立させて壁表面材１０に添わせた擬似巾木材１３を床材１４の側端面で該壁表面材１０に押しつけてなすようにしてあっても、適宜の仮留め手段１７で当該壁表面材１０に添わせるように着脱可能に着装してあってもよく、床材１４から所定幅分を上方に突き出すように備えられる。また、この延設基体１２０の底板１２１の上面１２１ａに敷き込んで床部を構成する床材１４は、前記基本ミニモデルセットＡ’に備えられる床材１４と同様の厚さ寸法を備える床材１４として用意される。また、前記基本ミニモデルセットＡ’で用いた床材１４と同様にベース部１４ｂ上に、フローリング材や絨毯等の床素材からなる床本体部１４ａを備えたものを用いることができる。なお、この床材１４は前記底板１２１の上面１２１ａに適宜の仮留め手段１７によって着脱可能に装着してあっても、当該床材１４の自重で敷き込むようにしてあってもよい。また、この床材１４の床本体部１４ａをベース部１４ｂに対して適宜の前記仮留め手段１７等を用いて着脱可能に装着するようにしてあっても、当該ベース部１４ｂ上に自重で敷き込むようにしてあっても、さらには、当該ベース部１４ｂに一体に設けてあってもよい。
【００５５】
また、前記基本ミニモデルセットＡ’や、必要に応じて更に他の補助ミニモデルセットと共に用いられる補助ミニモデルセットとして構成される補助ミニモデルセットＡｃは、各内角を直角とする四辺形状をなす底板１３１と、この底板１３１の一つの角を挟む二辺に沿ってそれぞれ起立されている四角形の側板１３２とを備える組み付け基体１３０と、この組み付け基体１３０の底板１３１の面１３１ａに連続する各側板１３２の面１３２ａに選択的に添装用いられる複数種の着脱可能な壁表面材１０と、前記壁表面材１０の下部側に添わせるように選択的に用いられる複数種の擬似巾木材１４と、少なくとも該擬似巾木材１４に側端面を押しあてるように前記底板１３１に選択的に敷設される複数種の床材１４とを備えた構成としてある。
【００５６】
かかる補助ミニモデルセットＡｃは、より具体的には、前記基本ミニモデルセットＡ’の縮尺比率と同一の縮尺比率で構成したものであって、前記補助ミニモデルセットＡｂと共に所定の居室空間を構成し得る手段や、階段室を構成する手段等として、適宜の補助ミニモデルセットと併用し、又は、併用しないで、前記基本ミニモデルセットＡ’に連続される居室の仕上がり状態を確認する手段等として用いられる。また、当該補助ミニモデルセットＡｃを構成する組み付け基体１３０は、底板１３１の奥側の辺に沿って備えられる側板１３２”が、前記基本ミニモデルセットＡ’の側板１０２”や当該側板１０２”に連続される各種補助ミニモデルセット等の側板と同一線上に位置される側板とされており、この側板１３２”に屈曲しながら連続して備えられている側板１３２’が、前記基本ミニモデルセットＡ’における側板１０２’の面１０２ａに面１３２ａを向き合わせて当該側板１０２’に平行となるように備えられている。
【００５７】
なお、この図示例では、側板１３２’の備えられている辺の反対側にあって当該辺に平行な底板１３１の辺にある側端面１３１ｃと、側板１３２”の前記側板１３２’に連続されていない側の側端面１３２ｄ（図１２における左側に構成される側端面１３１ｃ、１３２ｄ）部分に横方向への接続手段１８’が設けてあり、側板１３２’及び側板１３２”の上端面１３２ｂ部分と下端面１３２ｃ部分とに上下方向への接続手段１８”が、接続手段１８として設けてある。
【００５８】
かかる構成からなる組み付け基体１３０各側板１３２’、１３２”の表面１３２ａに対して、前記基本ミニモデルセットＡ’におけると同様にして表面１０ａが仕上げ壁材とされている壁表面材１０、例えば、化粧クロス、化粧ボード等の壁表面材１０を当該壁表面材１０の裏面１０ｂに設けた仮留め手段１７等で着脱可能に添装状態に装着する。また、表面１３ａを化粧面とした擬似巾木材１３を当該壁表面材１０の下部側に裏面１３ｂを添わせるように設ける。この擬似巾木材１３は、底板１３１に起立状態にして床材１４の側端面で当該壁表面材１０の表面１０ａに押しつけるようにして当該床材１４から上方に突き出すように当該壁表面材１０に添わせるように設けてあっても、また、適宜の仮留め手段１７を用いて当該壁表面材１０に着脱可能に添わせるように設けてあってもよい。
【００５９】
また、この組み付け基体１３０の底板１３１は、その下面１３１ｂが前記基本ミニモデルセットＡ’の底板１０１の下面１０１ｂと面一となるように構成してあり、底板１３１の上面１３１ａに敷き込んで床部を構成する床材１４は、前記基本ミニモデルセットＡ’に備えられる床材１４と同様の厚さ寸法を備える床材１４として用意され、当該底板１３１の上面１３１ａに載せ置くように敷き込まれていても、仮留め手段で着脱可能に装着されていてもよい。また、前記基本ミニモデルセットＡ’で用いた床材１４と同様にベース部１４ｂ上に床本体部１４ａを備えた構成としてあってもよい。かかる床材１４の床本体部１４ａは、フローリング材や絨毯等の実際に床材として用いられる素材で構成され、ベース部１４ｂ上に取り換え可能に載せ置かれていても、適宜の仮留め手段１７等で着脱可能にベース部１４ｂに装着されていても、当該ベース部１４ｂに一体に設けてあってもよい。
【００６０】
なお、この図示例に係る補助ミニモデルセットＡｂに補助ミニモデルセットＡｃを接続した際に、前記基本ミニモデルセットＡ’とほぼ同一大きさの、いわゆる、四畳半相当の大きさのミニモデルセットを構成するようにしてある。
【００６１】
また、図示例に係る階段セット１４０は、回り階段状に構成される階段の下側部分をなす階段本体１４１と、当該階段本体１４１を組み付けた際に階段側面の雑巾ずり等の化粧手段とされる側板１４２と、同様に雑巾ずり等の化粧手段とされる背板１４３とを備えた構成としてあり、前記基本ミニモデルセットＡ’の縮尺比率とほぼ同一の縮尺比率で構成してある。かかる階段本体１４１を納め入れる空間を構成する壁表面材１０に前記背板１４３を添わせるように設けると共に、擬似巾木材１３をカットした部分の当該壁表面材１０に前記側板１４２、１４２を添わせるように設け、この各背板１４３、側板１４２を当該階段本体１４１で各壁表面材１０に押しつけるようにして、階段部分を適宜構成する。かかる階段セット１４０は、必ずしも、回り階段である必要は無く、各種の階段のミニモデルとして用意されていてもよい。また、前記側板１４２、背板１４３の全てを備えている必要は無い。また、当該側板１４２、背板１４３を備えることなく構成してあってもよい。また、これに、側板１４２を備え付ける際は、当該側板１４２の備え付け部分には巾木材１３を設けないで壁面を構成する。また、かかる側板１４２及び背板１４３は、これを壁表面材１０に対して適宜の仮留め手段１７等で着脱可能に装着してあっても、当該仮留め手段１７によって階段本体１４１に対して着脱可能に装着してあってもよい。
【００６２】
なお、図７及び図８では、基本ミニモデルセットＡ’に連続するように補助ミニモデルセットＡａ、補助ミニモデルセットＡｂ、補助ミニモデルセットＡｃを（図の右方向に）順次に接続して典型的なミニモデルセットＡを構成した事例を示している。
【００６３】
図１４〜図１６では、基本ミニモデルセットＡ’に補助ミニモデルセットＡａ及び補助ミニモデルセットＡｃを（図の右方向に）順次に備えつけ、当該補助ミニモデルセットＡｃに対して階段セット１４０を備えたミニモデルセットＡを示したものであるが、基本ミニモデルセットＡ’の内部に当該階段セット１４０を備え付けるようにして用いても、また、当該基本ミニモデルセットＡ’の外側に接続させるように階段セット１４０を備え付けて用いたり、更に、他の補助ミニモデルセットに組み付けて当該階段セット１４０を用いるなど、階段まわりにおける仕上がり空間の確認や各種使用素材の確認をなすために種々の態様において当該階段セット１４０を用いることができる。
【００６４】
なお、前記横方向への接続手段１８’は、図７及び図８、図１４及び図１６に示されるように、基本ミニモデルセットＡ’と当該基本ミニモデルセットＡ’に接続される各種補助ミニモデルセット等における互いに接し合う側端面の一方側、例えば、前記図における左側に位置される側端面部分に永久磁石１８ａを、右側に位置される側端面部分に鉄板等の磁性板１８ｂを互いに吸着し得るように設けるようにすることができる。また、また、上下方向への接続手段１８”は、互いに接し合う各側板の上端面と下端面の一方側に、例えば、上端面部分に永久磁石１８ａを、下端面部分に当該下端面の長さ方向にわたるように細長い鉄板等の磁性板１８ｂを、相互に吸着し得るように設けて構成することができる。なお、かかる永久磁石による吸着力を用いることなく、面状ファスナーの雄側を一方側に、雌側を他方側に設けるようにしてあってもよい。また、一方側にダボを他方側にダボ穴を設けるようにしてあってもよく、前記基本ミニモデルセットＡ’に対して、他の補助ミニモデルセット等を都合良く接続し得る手段であれば、いかなる接続手段１８であってもよい。
【００６５】
かかる構成からなるミニモデルセットＡは、例えば、図２〜図４のようにして用いたり、図７及び図８や、図１４〜図１６のように、横方向に接続して用いたり、図１７及び図１８のように上下方向に接続して用いたり、更に、図示されていない各種の態様で用いることができ、内装仕上げ空間や使用素材の選択などに幅広く用いることができる。
【００６６】
図１７及び図１８は、上下方向への接続手段１８”によって接続して、下階と上階の存在するミニモデルセットＡを構成したものであって、この図示例では、前記基本ミニモデルセットＡ’の上に、当該基本ミニモデルセットＡ’の側板１０２”の上端面１０２ｂ上に側板１３２’を、側板１０２’の上端面１０２ｂ上に側板１３２”を位置づけるように補助ミニモデルセットＡｃを接続手段１８”で接続すると共に、当該補助ミニモデルセットＡｃの手前側に、補助ミニモデルセットＡｂを、その側板１２２を基本ミニモデルセットＡ’の側板１０２’の上端面１０２ｂ上に接続手段１８”で接続し、かつ、その底板１２１の側端面１２１ｃを補助ミニモデルセットＡｃの底板１３１の側端面１３１ｃに接すると共に側板１２２の側端面１２２ｄを補助ミニモデルセットＡｃの側板１３２の側端面１３２ｄに接した状態で、当該補助ミニモデルセットＡｃに組み付けてあり、上階と下階とが、ほぼ同一大きさの空間を構成するようにしてミニモデルセットＡを構成したものであって、かくして構成されるミニモデルセットＡを活用することで、上階と下階の居住空間の構成具合の確認や、当該ミニモデルセットＡの各内装材を適宜変更しながら、上階と下階における内装の仕上がり具合を、確認しながら決定することができる。
【００６７】
なお、前記ミニモデルセットＡを、実寸法のほぼ九分の一の大きさで構成することによって、現在、用いられている床材のカットサンプル等を、そのまま用いることができる。また、同様に、１２ｍｍ程度の床材サンプルを３枚重ねて床材１４を構成することで、天井ふところ厚をイメージすることができる効果を奏することができる。
【符号の説明】
【００６８】
Ａ  ミニモデルセット
１０  壁表面材
１１  建具用擬似枠
１２  擬似建具材
１３  擬似巾木材
１４  床材
１００  基体
１０１  底板
１０２  側板
【図１】
2010271485.tif 000003
【図２】
2010271485.tif 000004
【図３】
2010271485.tif 000005
【図４】
2010271485.tif 000006
【図５】
2010271485.tif 000007
【図６】
2010271485.tif 000008
【図７】
2010271485.tif 000009
【図８】
2010271485.tif 000010
【図９】
2010271485.tif 000011
【図１０】
2010271485.tif 000012
【図１１】
2010271485.tif 000013
【図１２】
2010271485.tif 000014
【図１３】
2010271485.tif 000015
【図１４】
2010271485.tif 000016
【図１５】
2010271485.tif 000017
【図１６】
2010271485.tif 000018
【図１７】
2010271485.tif 000019
【図１８】
2010271485.tif 000020